(57)【要約】      （修正有）【課題】スライド投影装置を具備することで、視覚的効果を有し、スライド形式による写真変換機能を具備することから、機能的効果及び利便性向上効果を創出する寄書額収納写真スライド映写装置を提供する。【解決手段】平面的構造体の周囲に配置される枠材と、前記平面的構造体の一部に設けられ周囲にテーパを設けた切欠部と、前記切欠部に当接するように配置された表示部と、前記表示部に隣接して配置されるスライド投影装置と、前記平面的構造体の表面は筆記具による記録ができる材とから構成されることを最も主要な特徴とする。【選択図】図２
0003149292.tif 000002
【実用新案登録請求の範囲】
【請求項１】
平面的構造体と、前記平面的構造体の周囲に配置される枠材と、前記平面的構造体の一部に設けられ周囲にテーパを設けた切欠部と、前記切欠部に当接するように配置された表示部と、前記表示部に隣接して配置されるスライド投影装置とを具備することを特徴とする寄書額収納写真スライド映写装置。
【請求項２】
前記平面的構造体の表面は筆記具による記録ができる材で構成されることを特徴とする請求項１記載の寄書額収納写真スライド映写装置
【考案の詳細な説明】
【技術分野】
【０００１】
本考案は、たとえば寄書き専用ボードに係り、特にプロジェクタによるスライド形式の写真差し替えを可能とする映写装置を具備したデジタル形式の寄書き専用ボードに関する。
【背景技術】
【０００２】
従来、寄書きとしては、寄書き用の紙及び色紙及びボード上などにメッセージを書いたり、写真を貼ったり、絵を描写したりして別れやお祝いの行事等の記念の一つとして仲間や関係者等、複数の人同士で行うメッセージ・シェアリングとして知られている。
【０００３】
ところが、従来の寄書き用紙及び色紙及びボードに写真を添付する際、一つの写真を寄書き用紙及び色紙及びボードに直接貼り付けていたので、貼付された写真は恒久的なものとならざるを得ず、さもなければ写真の交換はアナログ式に行うしかなく、はがした後が汚れたりするのを避けられなかった。
【特許文献１】特開２００５−２５４４８９号公報
【考案の開示】
【考案が解決しようとする課題】
【０００４】
本考案は上記の問題点を解決しようとするものであり、寄書きに添付する写真が固定的で、変更が出来ない又は、変更する際に手で剥がして、新しい写真を手で添付する必要がある点を改善し、記念写真を額に納める中でも、写真の交換が原紙への汚れを残すことなく、スムーズに行うことの可能な写真スライド映写機能付寄書有額を提供することを目的とする。
【課題を解決するための手段】
【０００５】
かかる課題を解決するために、本願に係る寄書額収納写真スライド映写装置は、平面的構造体と、前記平面的構造体の周囲に配置される枠材と、前記平面的構造体の一部に設けられ周囲にテーパを設けた切欠部と、前記切欠部に当接するように配置された表示部と、前記表示部に隣接して配置されるスライド投影装置とを具備することを最も重要な特徴とする。
【０００６】
この場合において、前記平面的構造体の表面は筆記具による記録ができる材で構成されるようにしてもよい。
【０００７】
こうした構成をとることにより、額縁に収められた平面において種々の寄せ書きを享受し記念碑的なものとする一方、かかる平面には欠き込みが形成され、この欠き込みには略背面からスライド投影装置が投影され得る位置に配置されて連接される。このスライド投影装置には種々の記念写真がデータとして納められ、一定のインターバルにて自動的に連続映写されるので、あたかも親しい友人たちのお祝いのことばに囲まれた記念写真が自動的に一定時間の経過に伴い入れ替えられる置物のような風情を与えることができる。
【０００８】
さらに、この場合において、切欠部の周囲にはテーパーがかけられているため、立体感をもった印象的なスライド投影が提供される。したがって、特に結婚記念の記念品として最適な製品として供給することが可能となる。
【考案の効果】
【０００９】
本考案の写真スライド映写機能付寄書有額は、寄書き用のボードにＵＳＢ接続型のプロジェクタを組み合わせたものであり、ＵＳＢ端子に接続したＵＳＢメモリーから画像や動画のデータを読み出したり、ＵＳＢ対応の写真データ保存機能を有するデバイス（デジタルカメラ及びパソコン及び携帯等）に接続し、入力及び保存された写真データを読み込み、読み込まれた写真をプロジェクタからスライド形式で映写する。デジタル形式で写真を自動的に交換できることから利便性が獲得され、またスライド形式で写真を表示することから、視覚的効果を創出することができる。
【００１０】
また、本考案の写真スライド映写機能付寄書有額は、プロジェクタ挿入用の枠にテーパー形式を採用したため、プロジェクタによって映写される写真及び映像の立体感及びリアル感が再現できる。
【考案を実施するための最良の形態】
【００１１】
次に、本考案の一実施形態を、図面を参照して説明する。
【００１２】
図１は、本考案に係る写真スライド映写機能付寄書有額の正面図、図２は、本考案に係る写真スライド映写機能付寄書有額の側面図である。
【００１３】
同両図に示されるように、中央にプロジェクタを挿入するためのテーパーがかけられた切欠部を設け周囲に枠を有する平板と、この平板前部に取り付ける該平板と同サイズ及び同形のメッセージ書き込み用厚紙と、該平板及び該厚紙の端部を囲う枠と、USB端子を有するプロジェクタとを備えて構成される。プロジェクタはＵＳＢ接続型であり、ＵＳＢ端子にはＵＳＢメモリーを接続することができる。こうして接続されたＵＳＢメモリーには画像や動画のデータを格納しておくことができるから、ＵＳＢ対応の写真データ保存機能を有するデバイス（デジタルカメラ及びパソコン及び携帯等）に接続し、入力及び保存された写真データを読み込み、読み込まれた写真をプロジェクタからスライド形式で映写することが可能となる。
【００１４】
例えば、節目のお祝い行事、四季折々の年中行事、その他イベント及び行事等などで参加者及び親族及び友人等に写真スライド映写機能付寄書有額の厚紙部分に寄書きをいただき、コンセントが設置されている付近に参加者及び親族及び友人等が該写真スライド映写機能付寄書有額を拝見できる位置に設置し、プロジェクタＵＳＢ端子にＵＳＢメモリを接続する方法及びＵＳＢ接続対応のデバイスとプロジェクタをＵＳＢケーブルで接続する方法で保存された画像や動画のデータを読み出して映写する。画面の切り替えなどは、プロジェクタ付属のボタンか、付属リモコンで行う。
【００１５】
例えば、該写真スライド映写機能付寄書有額に寄書きをした人の写真をスライド形式で映写したり、卒業などのお別れの行事では、思い出の写真及び動画を映写することにより、節目のお祝い行事、四季折々の年中行事、その他イベント及び行事等をより一層楽しく、印象に残るユニークな行事に構成することが可能となる。
【産業上の利用可能性】
【００１６】
本考案の写真スライド映写機能付寄書有額は、スライド形式の写真及び画像映写及び動画を再生可能なＵＳＢ対応のプロジェクタを搭載した寄書きボードであり、寄書きメッセージとスライド式の写真及び画像や動画を一体にしたシェアリング型の写真スライド映写機能付の寄書きボードである。節目のお祝い行事、四季折々の年中行事、その他イベント及び行事等多種多彩な行事に使用したり、または記念品としてオフィスや自宅等に設置して装飾物及び展示物としても使用できる。したがって、観光産業、電気産業をはじめ各種産業で利用可能性は拡充する。
【図面の簡単な説明】
【００１７】
【図１】本考案の一実施形態に係る写真スライド映写機能付寄書有額の正面図である。
【図２】本考案の一実施形態に係る写真スライド映写機能付寄書有額の断面図である。
【符号の説明】
【００１８】
１    額枠
２    平板
３    プロジェクタ
４    テーパー傾斜面
５    厚紙
【図１】
0003149292.tif 000003
【図２】
0003149292.tif 000004